(57)【要約】      （修正有）【課題】スプリンクラー配管用ヘッダーよりも上流側からの空気が、スプリンクラー配管用ヘッダーよりも下流側へ入り込むことを抑制することの可能なプリンクラー配管用ヘッダー、及び、このスプリンクラー用配管を備えたスプリンクラー消火装置を提供する。【解決手段】空気抜き部３４は、最上流側に連結されたヘッダー単位体２３の分岐接続部２８で構成されている。そして、流出口２８Ａが空気を抜くための空気抜き口３４Ａとして機能する。互いに連結されたヘッダー単位体２３同士は、流路２３Ａの周方向に相対回転可能であることから、空気抜き部３４は、上側へ向けられた状態で、空気抜き口３４Ａから空気抜きが行われる。【選択図】図２
2008167947.tif 000002
【特許請求の範囲】
【請求項１】
流入された流体を複数のスプリンクラー配管へ分岐配分するスプリンクラー配管用ヘッダーであって、
内部に流路の構成されたヘッダー本体と、
前記流路と連通され流体を流入させる流入口の構成された流入接続部と、
前記流路と連通され、前記流入された流体を前記スプリンクラー配管へ流出させる流出口が構成され、前記スプリンクラー配管が接続される複数の分岐接続部と、
上方へ向かって開放される空気抜き口の構成された空気抜き部と、
前記空気抜き口を閉鎖可能な止水部材と、
を備えた、スプリンクラー配管用ヘッダー。
【請求項２】
前記空気抜き部は前記分岐接続部よりも上流側に設けられていること、を特徴とする請求項１に記載のスプリンクラー配管用ヘッダー。
【請求項３】
前記空気抜き部は、前記ヘッダー本体との関係で周方向に相対回転可能とされていること、を特徴とする請求項１または請求項２に記載のスプリンクラー配管用ヘッダー。
【請求項４】
前記止水部材は、前記空気抜き口を開閉可能なバルブで構成されていること、を特徴とする請求項１乃至請求項３のいずれか１項に記載のスプリンクラー配管用ヘッダー。
【請求項５】
スプリンクラーヘッドへ向かって消火用水を送る加圧送水装置と、
前記加圧送水装置よりも下流側に配置され、通過する流体の圧力を検知可能な流水検知装置と、
前記流水検知装置よりも下流側に配置され、流入された消火用水を複数のスプリンクラー配管へ分岐配分する、請求項１乃至請求項４のいずれか１項に記載のスプリンクラー配管用ヘッダーと、
を備えたスプリンクラー消火装置。
【発明の詳細な説明】
【技術分野】
【０００１】
本発明は、複数のスプリンクラー配管を接続するプリンクラー配管用ヘッダー、及び、このスプリンクラー配管用ヘッダーを備えた、スプリンクラー消火装置に関するものである。
【背景技術】
【０００２】
スプリンクラーを用いた消火設備は初期消火に非常に効果があり、高層ビル、劇場、デパ−ト等のように消防法で設置が義務づけられている建物のほか、火災の発生し易い場所や一般住宅でも設置が望ましい。通常、湿式のスプリンクラー消火設備は、加圧送水装置（ポンプ）、流水検知装置、スプリンクラーヘッドを備えている。そして、配管系統には加圧水が充填されており、火災が発生するとスプリンクラーヘッドの感熱部が火災の熱を受けて溶解または破壊され、シール部分が分解することにより放水が開始される仕組みになっている。シール部分の分解によりスプリンクラーヘッドが開放されて加圧水が放出されると、一旦配管内の圧力が低下する。この圧力低下により、起動用水圧開閉弁が作動し、加圧送水装置が起動して消火水がスプリンクラーヘッドへ送られて放水が開始される。また、放水の開始により流水検知装置の圧力スイッチが作動し、これにより自動火災報知器が作動して火災を表示する。
【０００３】
上記のようなスプリンクラー消火装置において、配管内に大量の空気が入り込んでいると、配管内での圧力低下が生じうる。この圧力低下は加圧送水装置の起動につながることから、火災でないにもかかわらず自動火災報知器が作動してしまうという不都合が生じることがある。
【特許文献１】特開平１０−２６３１０５号公報
【特許文献２】特開平０８−０２４３６０号公報
【発明の開示】
【発明が解決しようとする課題】
【０００４】
ところで、スプリンクラーヘッドは多数の箇所へ設置されることから、上流側からの給水を複数に分岐するスプリンクラー配管用ヘッダーが用いられることがある（特許文献２参照）。スプリンクラー配管用ヘッダーよりも上流側からの空気が、スプリンクラー配管用ヘッダーからスプリンクラーヘッドまでの間に入り込むことを回避できれば、圧力低下を抑制することができる。
【０００５】
本発明は、上記事実に鑑みてなされたものであり、スプリンクラー配管用ヘッダーよりも上流側からの空気が、スプリンクラー配管用ヘッダーよりも下流側へ入り込むことを抑制することの可能なプリンクラー配管用ヘッダー、及び、このスプリンクラー用配管を備えたスプリンクラー消火装置を提供することを課題とする。
【課題を解決するための手段】
【０００６】
上記課題を解決するために、請求項１に記載のスプリンクラー配管用ヘッダーは、流入された流体を複数のスプリンクラー配管へ分岐配分するスプリンクラー配管用ヘッダーであって、内部に流路の構成されたヘッダー本体と、前記流路と連通され流体を流入させる流入口の構成された流入接続部と、前記流路と連通され、前記流入された流体を前記スプリンクラー配管へ流出させる流出口が構成され、前記スプリンクラー配管が接続される複数の分岐接続部と、上方へ向かって開放される空気抜き口の構成された空気抜き部と、  前記空気抜き口を閉鎖可能な止水部材と、を備えている。
【０００７】
上記構成のスプリンクラー配管用ヘッダーにおいて、上流側からの流体は流入口からヘッダー本体の流路へ供給され、流出口からスプリンクラー配管へ流出される。ここで、スプリンクラー配管とは、各スプリンクラーヘッドへ流体を供給する配管であり、スプリンクラー配管用ヘッダーとスプリンクラーヘッドとの間をつなぐものである。
【０００８】
また、スプリンクラー配管用ヘッダーには、空気抜き部が備えられている。空気抜き部には、上方へ向かって開放された空気抜き口が構成されており、上流側から送り込まれてきた空気を、この空気抜き口から抜くことができる。
【０００９】
このように、空気抜き部を備えることにより、上流側からの空気がスプリンクラーヘッド側へ入り込むことを抑制することができる。なお、空気抜き後は、止水部材により空気抜き口を閉鎖し、流体の空気抜き口からの流出を防止する。
【００１０】
請求項２に記載のスプリンクラー配管用ヘッダーは、前記空気抜き部が前記分岐接続部よりも上流側に設けられていること、を特徴とする。
【００１１】
このように、空気抜き部を分岐接続部よりも上流側に設けることにより、分岐接続部へ至る前に上流側の空気を抜くことができる。
【００１２】
請求項３に記載のスプリンクラー配管用ヘッダーは、前記空気抜き部が、前記ヘッダー本体との関係で周方向に相対回転可能とされていること、を特徴とする。
【００１３】
このように、空気抜き部を回転可能な構成とすることにより、空気抜き時には空気抜き口を上方へ向け、それ以外の時には横方向、下方向に向けておくことができ、スプリンクラー配管用ヘッダーの取付を容易にすることができる。
【００１４】
なお、このような回転可能な構成とするために、空気抜き部として既存の回転可能継ぎ手を用いることができる。
【００１５】
請求項４に記載のスプリンクラー配管用ヘッダーは、前記止水部材が、前記空気抜き口を開閉可能なバルブで構成されていること、を特徴とする。
【００１６】
このように、止水部材をバルブで構成することにより、空気抜き口を容易に開閉することができる。
【００１７】
請求項５に記載のスプリンクラー消火装置は、スプリンクラーヘッドへ向かって消火用水を送る加圧送水装置と、前記加圧送水装置よりも下流側に配置され、通過する流体の圧力を検知可能な流水検知装置と、前記流水検知装置よりも下流側に配置され、流入された消火用水を複数のスプリンクラー配管へ分岐配分する、請求項１乃至請求項４のいずれか１項に記載のスプリンクラー配管用ヘッダーと、を備えている。
【００１８】
上記構成のスプリンクラー消火装置によれば、請求項１乃至請求項４のいずれか１項に記載のスプリンクラー配管用ヘッダーにより分岐が行われているので、スプリンクラー配管用ヘッダーに構成された空気抜き口から上流側の空気を抜くことができるので、上流側からの空気がスプリンクラーヘッド側へ入り込むことを抑制することができる。
【発明の効果】
【００１９】
本発明は上記構成としたので、スプリンクラー配管用ヘッダーよりも上流側からの空気が、スプリンクラー配管用ヘッダーよりも下流側へ入り込むことを抑制することができる。
【発明を実施するための最良の形態】
【００２０】
以下、本発明を実施するための最良の実施形態について説明する。
【００２１】
［第１実施形態］
本実施形態のスプリンクラー消火装置１０は、図１に示すように、ポンプ１２、送水検知装置１３、一次配管１４、スプリンクラー配管用ヘッダー２０、スプリンクラー配管１６、スプリンクラーヘッド１８を備えている。
【００２２】
ポンプ１２は、消火用水をスプリンクラーヘッド１８側へ向かって送水する機能を有している。送水検知装置１３は、ポンプ１２の下流側に設けられており、ポンプ１２により送水される消火用水の水圧を検知可能とされている。また、送水検知装置１３は、図示しない火災報知器に接続されており、所定以上の水圧を検知すると、火災報知器へ作動信号を送信するようになっている。
【００２３】
送水検知装置１３には、一次配管１４が接続されている。一次配管１４により、消火用水の流路が天井スラブＳ１付近まで持ち上げられている。
【００２４】
スプリンクラー配管用ヘッダー２０は、天井スラブＳ１と天井部材Ｓ２との間に配置され、天井スラブＳ１に固定された保持部材１５により保持されている。
【００２５】
スプリンクラー配管用ヘッダー２０には、複数のスプリンクラー配管１６が接続されている。スプリンクラー配管１６は、消火用水を複数のスプリンクラーヘッド１８へ分岐するための配管であり、スプリンクラーヘッド１８と接続されている。
【００２６】
スプリンクラーヘッド１８は、散水口を下側に向けて天井部材Ｓ２を貫通するように取り付けられており、天井部材Ｓ２から下側へ消火用水を放水可能とされている。
【００２７】
スプリンクラー配管用ヘッダー２０は、図２に示すように、ヘッダー本体２２、流入接続部３０、分岐接続部２８、空気抜き部３４、及び、止水栓３６を備えている。
【００２８】
ヘッダー本体２２は、複数のヘッダー単位体２３を連結させて構成されている。図３に示すように、ヘッダー単位体２３には、内部に流路２３Ａが構成され、一端にパイプ状接続部２４が形成され、他端にワンプッシュ型継手部２５が形成されている。ワンプッシュ型継手部２５は、流路２３Ａの第１段部２３Ｄ内に止水リング２６、パイプ保持リング２７を内蔵したもので、パイプ状接続部２４が差し込まれた際に、止水リング２６がパイプ状接続部２４の表面に接して漏水を防ぎ、パイプ保持リング２７に備えられた爪２７Ａがパイプ状接続部２４の表面に食い込んで完全に連結されるものである。止水リング２６及びパイプ保持リング２７は、端部外側に螺合されたソケット２９により係止されている。なお、第２段部２３Ｅはパイプ状接続部２４の差し込み量の差し込み量を規制するものである。
【００２９】
ヘッダー単位体２３の側壁部には、分岐接続部２８が形成されている。分岐接続部２８には、流路２３Ａと連通するように流出口２８Ａが構成されている。分岐接続部２８は、ワンプッシュ型継手部２５と同様の構成とされている。スプリンクラー配管１６の一端は、パイプ状接続部２４と同様の構成とされ、分岐接続部２８へ挿入されることにより同様に連結される。
【００３０】
複数のヘッダー単位体２３は、１のヘッダー単位体２３のパイプ状接続部２４を、他のヘッダー単位体２３のワンプッシュ型継手部２５へ挿入することにより連結される。互いに連結されたヘッダー単位体２３同士は、流路２３Ａの周方向に相対回転可能とされている。連結されたヘッダー単位体２３の各々の流路２３Ａがつながって、ヘッダー本体２２内に流路２２Ａが構成される。
【００３１】
空気抜き部３４は、最上流側に連結されたヘッダー単位体２３の分岐接続部２８で構成されている。そして、流出口２８Ａが空気を抜くための空気抜き口３４Ａとして機能する。互いに連結されたヘッダー単位体２３同士は、流路２３Ａの周方向に相対回転可能であることから、空気抜き部３４は、上側へ向けられた状態で、空気抜き口３４Ａから空気抜きが行われる。
【００３２】
止水栓３６は、空気抜き口３４Ａに挿入されて空気抜き口３４Ａを閉鎖可能な栓部３６Ａ、及び、栓部３６Ａよりも大径で空気抜き部３４の外側に配置されるフランジ部３６Ｂにより構成されている。止水栓３６は、空気抜き部３４への取り付け、及び、取り外しが可能で、空気抜き時には図２（Ａ）に示すように取り外され、それ以外の時には図２（Ｂ）に示すように取り付けられている。
【００３３】
最上流側に連結されたヘッダー単位体２３の上流側には、流入接続部３０が連結されている。流入接続部３０は、フランジ部３０Ａ及びパイプ部３０Ｂを備え、内部に流入路３０Ｃが構成されている。流入接続部３０は、パイプ部３０Ｂがヘッダー単位体２３のワンプッシュ型継手部２５へ挿入され、フランジ部３０Ａ側が一次配管１４側の端部と接続される。
【００３４】
次に、本実施形態での空気抜きについて説明する。
【００３５】
空気抜きの際には、空気抜き部３４を回転させて上方に向け、止水栓３６を取り外す。そして、ポンプ１２側からスプリンクラーヘッド１８へ向かって水を送る。これにより、消火用水は、スプリンクラー配管用ヘッダー２０、スプリンクラー配管１６を経てスプリンクラーヘッド１８へ至る。
【００３６】
このとき、一次配管１４側にあった空気は、スプリンクラーヘッド１８側へ押し出される。スプリンクラー配管用ヘッダー２０には、上方に開放された空気抜き口３４Ａが構成されているので、押し出された空気は空気抜き口３４Ａから外部へ排出される。
【００３７】
本実施形態によれば、スプリンクラー配管用ヘッダー２０の空気抜き口３４Ａを用いて、一次配管１４側の空気抜きを行うことができ、スプリンクラーヘッド１８側への空気の入り込みを抑制することができる。
【００３８】
また、本実施形態では、ヘッダー単位体２３を用いて空気抜き部３４を構成しているので、空気抜き部３４を構成するための特別の部材を必要とせず、容易に空気抜きを行うことができる。
【００３９】
なお、本実施形態では、ヘッダー単位体２３を連結させてスプリンクラー配管用ヘッダー２０のヘッダー本体２２を構成したが、必ずしもヘッダー単位体２３を用いる必要はない。ヘッダー本体２２及び空気抜き部３４を一体的に構成してもよい。
【００４０】
また、本実施形態では、流入接続部３０をヘッダー単位体２３とは異なる構成としたが、一次配管１４側の管の種類などによっては、ヘッダー単位体２３と同様の構成とすることもできる。
【００４１】
［第２実施形態］
次に、本発明の第２実施形態について説明する。本実施形態では、スプリンクラー配管用ヘッダー以外の構成については、第１実施形態と同様であるため、その詳細な説明は省略する。
【００４２】
本実施形態のスプリンクラー配管用ヘッダー５０は、図４に示すように、ヘッダー本体５２、流入接続部５６、分岐接続部５４、及び、開閉弁５８を備えている。
【００４３】
ヘッダー本体５２は、略円筒状とされ、内部に流路５２Ａが構成されている。ヘッダー本体５２の円筒側面には、複数の分岐接続部５４が構成されている。分岐接続部５４には、流路５２Ａと連通された流出口５４Ａが構成されている。分岐接続部５４は、スプリンクラー配管１６の一端部と接続され、流出口５４Ａからスプリンクラー配管１６側へ消火用水が供給される。
【００４４】
流路５２Ａの最上流側には、一次配管１４と接続するための流入接続部５６が形成されている。流入接続部５６は、ヘッダー本体５２よりも大径の円板状とされ、中央部に流路５２Ａと連通された流入口５２Ｂが構成されている。
【００４５】
ヘッダー本体５２の上流側の上部には、流路５２Ａと連通すると共に上方へ開放された空気抜き口５２Ｄが構成されている。そして、ヘッダー本体５２のこの空気抜き口５２Ｄに対応する部分には、空気抜き口５２Ｄを開閉可能な開閉弁５８が設けられている。開閉弁５８は、開閉用のレバー５８Ａを備えており、レバー５８Ａが開位置Ｐ１に配置されているときには、空気抜き口５２Ｄは開放され、レバー５８Ａが閉位置Ｐ２に配置されているときには、空気抜き口５２Ｄは閉鎖されている。
【００４６】
本実施形態でも、ポンプ１２側からスプリンクラーヘッド１８へ向かって水を送る際に、一次配管１４側にあった空気が、空気抜き口５２Ｄから外部へ排出される。したがって、一次配管１４側の空気がスプリンクラーヘッド１８側へ入り込むことを抑制することができる。
【図面の簡単な説明】
【００４７】
【図１】第１実施形態のスプリンクラー消火装置の概略構成を示す図である。
【図２】第１実施形態のスプリンクラー配管用ヘッダーの概略構成を示す図である。
【図３】第１実施形態のスプリンクラー配管用ヘッダーを構成するヘッダー単位体の断面図である。
【図４】第２実施形態のスプリンクラー配管用ヘッダーの概略構成を示す図である。
【符号の説明】
【００４８】
１０  スプリンクラー消火装置
１２  ポンプ
１３  送水検知装置
１４  一次配管
１６  スプリンクラー配管
１８  スプリンクラーヘッド
２０  スプリンクラー配管用ヘッダー
２２  ヘッダー本体
２２Ａ  流路
２３  ヘッダー単位体
２８  分岐接続部
２８Ａ  流出口
３０  流入接続部
３０Ｃ  流入路
３４Ａ  空気抜き口
３４  空気抜き部
３６  止水栓
５０  スプリンクラー配管用ヘッダー
５２  ヘッダー本体
５２Ｄ  空気抜き口
５２Ｂ  流入口
５２Ａ  流路
５４  分岐接続部
５４Ａ  流出口
５６  流入接続部
５８Ａ  レバー
５８  開閉弁
【図１】
2008167947.tif 000003
【図２】
2008167947.tif 000004
【図３】
2008167947.tif 000005
【図４】
2008167947.tif 000006